(57)【特許請求の範囲】
【請求項１】
特定のモードを含む二以上のモードに設定を切替可能な切替対象装置のモードを切り替えるモード自動切替装置であって、
前記切替対象装置の設定を特定のモード又は他のモードに切り替える切替操作手段と、該切替操作手段の操作により特定のモードに切り替えられた切替時刻の履歴を記憶する切替時刻記憶手段と、該切替時刻記憶手段に記憶された履歴に基づいて、前記切替操作手段の操作により特定のモードに切り替えられるべき所定の推定切替時刻を算出する推定切替時刻算出手段と、該推定切替時刻算出手段で算出された推定切替時刻に基づいて、自動的に前記切替対象装置の設定を特定のモードに切り替えるモード自動切替手段と、前記推定切替時刻までに前記切替操作手段による前記切替対象装置の特定のモードへの切替があったか否かを検知する操作検知手段と、時刻情報を提供する時計手段と、前記操作検知手段が前記切替操作手段による切替を検知したときに、前記時計手段の時刻情報を切替時刻として前記切替時刻記憶手段に記憶させ、前記操作検知手段が前記切替操作手段による切替を検知しなかったときに、前記推定切替時刻を切替時刻として、前記切替時刻記憶手段に記憶可能な切替時刻書込手段と、を備え、
前記操作検知手段が前記推定切替時刻までに前記切替操作手段による切替を検知しなかったときに、前記モード自動切替手段が、前記切替対象装置を自動で特定のモードに切替可能になることを特徴とするモード自動切替装置。
【請求項２】
前記モード自動切替手段が、当該モード自動切替手段による自動でのモードの切替を、前記推定切替時刻から所定の猶予時間後に行なわせる切替猶予手段を備える請求項１記載のモード自動切替装置。
【請求項３】
前記モード自動切替手段が、モードの自動切替を行なうことを通知する自動切替通知手段を備える請求項１又は２記載のモード自動切替装置。
【請求項４】
操作されたときに、前記モード自動切替手段による自動でのモードの切替を不能にする取消操作手段を備える請求項１〜３のいずれかに記載のモード自動切替装置。
【請求項５】
前記推定切替時刻算出手段が、前記切替時刻記憶手段が記憶した履歴から、平均切替時刻を算出する平均切替時刻算出手段を備えるとともに、前記履歴から、前記平均切替時刻に対して、所定の誤差範囲を超える切替時刻を除外した切替時刻の平均を推定切替時刻として算出する請求項１〜４のいずれかに記載のモード自動切替装置。
【請求項６】
前記推定切替時刻算出手段が、前記切替時刻記憶手段が記憶した履歴から、所定期間の履歴を抽出する履歴抽出手段を備え、
前記平均切替時刻算出手段が、前記平均切替時刻算出手段により該履歴抽出手段が抽出した抽出履歴に基づいて、平均切替時刻を算出するとともに、該平均切替時刻及び前記抽出履歴に基づいて推定切替時刻を算出する請求項５記載のモード自動切替装置。
【請求項７】
前記推定切替時刻算出手段が、前記切替時刻記憶手段が記憶した履歴から、特定曜日の履歴を抽出する履歴抽出手段を備え、
前記平均切替時刻算出手段が、前記平均切替時刻算出手段により該履歴抽出手段が抽出した抽出履歴に基づいて、平均切替時刻を算出するとともに、該平均切替時刻及び前記抽出履歴に基づいて、前記特定曜日に対応する推定切替時刻を算出する請求項５記載のモード自動切替装置。
【請求項８】
特定のモードを含む二以上のモードに設定を切替可能な切替対象装置と、該切替対象装置のモードを切り替えるモード自動切替装置とを備えるセキュリティシステムであって、
前記モード自動切替装置が、請求項１〜７のいずれかに記載のモード自動切替装置であることを特徴とするセキュリティシステム。
【請求項９】
特定のモードを含む二以上のモードに設定を切替可能な切替対象装置のモードを切り替えるモード自動切替方法であって、
前記特定のモードに切り替えられた切替時刻の履歴を記憶し、記憶した前記履歴に基づいて、前記特定のモードに切り替えられるべき所定の推定切替時刻を算出し、該算出された推定切替時刻に基づいて、自動的に前記切替対象装置の設定を特定のモードに切り替えるとともに、前記推定切替時刻までに前記特定のモードへの切替があったか否かを検知し、前記特定のモードへの切替を検知したときには、その時刻情報を切替時刻として記憶し、前記特定のモードへの切替を検知しなかったときには、前記推定切替時刻を切替時刻として記憶し、前記推定切替時刻までに前記切替対象装置の特定のモードへの切替を検知しなかったときに、前記切替対象装置を自動で特定のモードに切替ることを特徴とするモード自動切替方法。
【請求項１０】
特定のモードを含む二以上のモードに設定を切替可能な切替対象装置のモードを切り替えるコンピュータのモード自動切替プログラムであって、
前記コンピュータを、
前記切替対象装置の設定を特定のモード又は他のモードに切り替える切替操作手段、該切替操作手段の操作により特定のモードに切り替えられた切替時刻の履歴を記憶する切替時刻記憶手段、該切替時刻記憶手段に記憶された履歴に基づいて、前記切替操作手段の操作により特定のモードに切り替えられるべき所定の推定切替時刻を算出する推定切替時刻算出手段、該推定切替時刻算出手段で算出された推定切替時刻に基づいて、自動的に前記切替対象装置の設定を特定のモードに切り替えるモード自動切替手段、前記推定切替時刻までに前記切替操作手段による前記切替対象装置の特定のモードへの切替があったか否かを検知する操作検知手段、時刻情報を提供する時計手段、前記操作検知手段が前記切替操作手段による切替を検知したときに、前記時計手段の時刻情報を切替時刻として前記切替時刻記憶手段に記憶させ、前記操作検知手段が前記切替操作手段による切替を検知しなかったときに、前記推定切替時刻を切替時刻として、前記切替時刻記憶手段に記憶可能な切替時刻書込手段、として機能させ、前記操作検知手段が前記推定切替時刻までに前記切替操作手段による切替を検知しなかったときに、前記モード自動切替手段を、前記切替対象装置を自動で特定のモードに切替るように機能させるためのモード自動切替プログラム。
【発明の詳細な説明】
【技術分野】
【０００１】
本発明は、例えば、特定のモードが設定されたときに、勝手に家屋などの建造物や敷地などへの侵入者の侵入を防止したり、火災などを検知することにより所定の防災動作を行なう手段を備えた切替対象装置に対し、モードを切り替えるモード自動切替装置、モード自動切替装置を用いたセキュリティシステム、モード自動切替方法及びモード自動切替プログラムに関する。
【背景技術】
【０００２】
一般に、例えば、勝手に家屋などの建造物や敷地などへの侵入者に対し、警報音を鳴らしたりして威嚇したり、赤色灯を点灯して警告したりすることにより侵入者の侵入を防止し、また、警備会社などに通報して警備員を派遣してもらったりするなどして、その侵入の防止を行なう防犯手段を備えたセキュリティシステムがある。
このような、セキュリティシステムに関連する技術としては、例えば、特許文献１及び２記載のものが提案されている。
【０００３】
特許文献１記載のセキュリティシステムは、ホームネットワークに接続された、洗濯機、テレビ、照明機器などの家電機器と、ホームネットワークに接続され、家電機器の駆動制御を行なう機能を有するホームサーバと、在宅モードと留守モードとの切り換えをホームサーバに指示する操作端末とを備えている。
ホームサーバは、時刻を検知する手段を備え、動作情報収集手段で収集した家電機器の動作情報とそのときの時刻を、駆動履歴として記憶する。
【０００４】
このセキュリティシステムのホームサーバは、操作端末で留守モードに切り換えられたとき、駆動履歴を統計処理演算して、家電機器ごとの駆動予定時刻と動作方法を含む動作スケジュールを作成し、動作スケジュールに従って、家電機器に駆動指示を出力する。
これにより、セキュリティシステムが、留守状態であっても自動で家電機器を駆動させるので、あたかも在宅状態かのように見せることができ、侵入者の侵入を防止できる。
【０００５】
特許文献２記載のセキュリティシステムは、住宅内の人を検知する人感センサと、この人感センサからの情報に基づいて住宅内の人の在・不在を判断し、不在であると判断された場合に警戒モードをオンにする制御装置とを備えている。
そして、セキュリティシステムが、住宅に設置されて警戒モードがオン状態にあるときに防犯機能を作動させる。
このようにすると、セキュリティシステムが、人感センサの検知に基づいて、自動的に警戒モードにするので、所定の操作を行なうことなく侵入者の侵入を防止することができる。
【０００６】
【特許文献１】特開２００５−２７７９６５号公報
【特許文献２】特開２００６−０８５３８４号公報
【発明の開示】
【発明が解決しようとする課題】
【０００７】
ところで、特許文献１記載のセキュリティシステムは、外出などの際に、留守モードへの切り替え操作を忘れたときには、家電機器を駆動できなくなり、侵入者の侵入の防止ができなくなるおそれがあった。
また、切り替え操作をしなければ、留守モードにできないので、この操作が煩雑であるという問題もあった。
【０００８】
また、特許文献２記載のセキュリティシステムは、自動的に警戒モードにすることができるが、人感センサを用いているので、例えば、ペットなどがいる家屋においては、人感センサが誤動作する可能性があった。
そのため、このセキュリティシステムにおいては、ペットなどが人感センサに反応すると、警戒モードに切り替わらないので、侵入者の侵入の防止が不十分になってしまう。
【０００９】
本発明は、以上のような従来の技術が有する問題を解決するために提案されたものであり、人の操作及び人の検知をすることなく、自動的にモードを切り替えることができるモード自動切替装置、モード自動切替装置を用いたセキュリティシステム、モード自動切替方法、及び、モード自動切替プログラムの提供を目的とする。
【課題を解決するための手段】
【００１０】
上記目的を達成するため、本発明のモード自動切替装置は、特定のモードを含む二以上のモードに設定を切替可能な切替対象装置のモードを切り替えるモード自動切替装置であって、前記切替対象装置の設定を特定のモード又は他のモードに切り替える切替操作手段と、該切替操作手段の操作により特定のモードに切り替えられた切替時刻の履歴を記憶する切替時刻記憶手段と、該切替時刻記憶手段に記憶された履歴に基づいて、前記切替操作手段の操作により特定のモードに切り替えられるべき所定の推定切替時刻を算出する推定切替時刻算出手段と、該推定切替時刻算出手段で算出された推定切替時刻に基づいて、自動的に前記切替対象装置の設定を特定のモードに切り替えるモード自動切替手段と、を備えている。
【００１１】
また、本発明のセキュリティシステムは、特定のモードを含む二以上のモードに設定を切替可能な切替対象装置と、該切替対象装置のモードを切り替えるモード自動切替装置とを備えるセキュリティシステムであって、前記モード自動切替装置が、上記モード切替装置で構成されている。
【００１２】
また、本発明のモード自動切替方法は、特定のモードを含む二以上のモードに設定を切替可能な切替対象装置のモードを切り替えるモード自動切替方法であって、前記特定のモードに切り替えられた切替時刻の履歴を記憶し、記憶した前記履歴に基づいて、前記特定のモードに切り替えられるべき所定の推定切替時刻を算出し、該算出された推定切替時刻に基づいて、自動的に前記切替対象装置の設定を特定のモードに切り替える構成としている。
【００１３】
また、本発明のモード自動切替プログラムは、特定のモードを含む二以上のモードに設定を切替可能な切替対象装置のモードを切り替えるコンピュータのモード自動切替プログラムであって、前記切替対象装置の設定を特定のモード又は他のモードに切り替える切替操作手段と、該切替操作手段の操作により特定のモードに切り替えられた切替時刻の履歴を記憶する切替時刻記憶手段と、該切替時刻記憶手段に記憶された履歴に基づいて、前記切替操作手段の操作により特定のモードに切り替えられるべき所定の推定切替時刻を算出する推定切替時刻算出手段と、該推定切替時刻算出手段で算出された推定切替時刻に基づいて、自動的に前記切替対象装置の設定を特定のモードに切り替えるモード自動切替手段として機能させる構成としている。
【発明の効果】
【００１４】
本発明のモード自動切替装置，セキュリティシステム、セキュリティシステムのモード自動切替方法及びモード自動切替プログラムによれば、人の操作及び人の検知をすることなく、自動的にモードを切り替えることができる。
【発明を実施するための最良の形態】
【００１５】
以下、本発明に係るモード自動切替装置、モード自動切替装置を備えるセキュリティシステム、モード自動切替方法及びモード自動切替プログラムの好ましい実施形態について説明する。
なお、モード自動切替方法は、セキュリティシステムのモード自動切替装置の動作（作用）の部分で説明する。
【００１６】
図１には、本発明の第一実施形態に係るモード自動切替装置を用いたセキュリティシステムの概略構成図を示している。
同図に示すように、このセキュリティシステムは、例えば、住宅などに備えられるホームセキュリティシステムであって、特定のモード（Ｍ１）を含む二以上のモードに設定を切替可能な切替対象装置１と、切替対象装置１のモードを切り替えるモード自動切替装置Ｓとを備えている。
【００１７】
切替対象装置１は、例えば、所定の防犯動作や、災害時に所定の動作を行なうものである。本実施形態においては、切替対象装置は、例えば、泥棒などの侵入者、特に、空き巣の防犯を行なう防犯手段を備えている。
ここで、切替対象装置１側に設定されるモードは、ユーザが不在だったり就寝していたりするときなどに設定され、侵入者の侵入を防止する警戒モードＭ１、ユーザが在宅しているときなどに設定される在宅モードＭ２などがある。
【００１８】
切替対象装置１は、防犯手段として、センサ１０、警報機１１及び監視部１２を備えている。
センサ１０は、一又は二以上（本実施形態では四つ）備えられており、例えば、窓の開閉を検知することにより、侵入者の侵入を検知する。
警報機１１は、侵入者を威嚇するために、例えば、サイレンなどの音声を発するスピーカや、侵入者に投光するライトなどにより構成されている。
監視部１２は、センサ１０が開を検知したときに、侵入者ありとして、監視部１２に接続された警報機１１に、所定の動作を行なわせる。
【００１９】
また、モード自動切替装置Ｓは、ユーザが操作することによりモードを切り替える切替スイッチ２と、モードの切り替え履歴が保存される履歴保存部３と、切替スイッチ２により切り替えられたモードに応じて監視部１２を管理するモード管理部４と、日付や時刻を含む時刻情報を提供する時計手段としての時計部５とを備えている。
【００２０】
切替スイッチ２は、操作により切替対象装置１の監視部１２の設定を、警戒モードＭ１又は在宅モードＭ２に切り替える切替操作手段を構成している。
また、切替スイッチ２は、例えば、押釦スイッチで構成されており、ユーザにより押釦されるたびに、警戒モードＭ１及び在宅モードＭ２を順に切り替える。
【００２１】
履歴保存部３は、切替スイッチ２の操作により特定のモードに切り替えられた切替時刻の履歴を記憶する切替時刻記憶手段として構成されている。
履歴保存部３は、警戒モードＭ１及び在宅モードＭ２に切り替えられた時刻を日付とともに記憶している。
また、履歴保存部３は、例えば、フラッシュメモリなどの書込可能な記憶装置が用いられている。
そして、履歴保存部３は、例えば、一週間、一ヶ月、一年など所定の期間の切替時刻の履歴を記憶しており、それ以上の切替スイッチ２の操作があったときは、古い履歴から順に消去される。
【００２２】
モード管理部４は、切替スイッチ２の操作が成されると、監視部１２の設定を警戒モードＭ１及び在宅モードＭ２に切り替えて、これらに応じた制御を監視部１２に対して行なう。
また、モード管理部４は、警戒モードＭ１において、センサ１０が窓の開を検知した際に、監視部１２が警報機１１を作動させるようにする。また、在宅モードＭ２においては、センサ１０が窓の開を検知しても、監視部１２が警報機１１を作動させないようにする。
【００２３】
モード管理部４は、履歴保存部３に記憶された履歴に基づいて、切替スイッチ２の操作により警戒モードＭ１に切り替えられるべき所定の推定切替時刻を算出する推定切替時刻算出手段４０と、推定切替時刻算出手段４０で算出された推定切替時刻に基づいて、自動的に防犯手段の設定を警戒モードＭ１に切り替えるモード自動切替手段４１と、を備えている。
【００２４】
推定切替時刻算出手段４０は、履歴保存部３が記憶した履歴を抽出する履歴抽出手段４２と、平均切替時刻を算出する平均切替時刻算出手段４３と、を備えている。
そして、推定切替時刻算出手段４０は、履歴抽出手段４２が抽出した抽出履歴から、平均切替時刻に対して、所定の誤差範囲を超える切替時刻を除外した切替時刻の平均を推定切替時刻として算出する。
【００２５】
履歴抽出手段４２は、履歴保存部３が記憶した履歴から、例えば、季節毎、月毎や過去数日間などの所定期間（本実施形態では、最近の七日間）の履歴を抽出している。
このようにすると、推定切替時刻算出手段４０が、ユーザの所定期間の生活パターンに基づいて推定切替時刻を算出することができるので、推定切替時刻の算出精度を高めることができる。
平均切替時刻算出手段４３は、履歴抽出手段４２が抽出した履歴から平均切替時刻を算出している。
【００２６】
本実施形態では、推定切替時刻算出手段４０は、平均切替時刻に比較し、誤差範囲として一時間以上異なる切替時刻を除外している。
このようにすると、推定切替時刻が、例えば、休日などで、外出時間が大きく異なる切替時刻の影響を受けにくくなり、推定切替時刻算出手段４０が推定切替時刻を正しく推定できやすくなる。
【００２７】
モード自動切替手段４１は、本実施形態において、在宅モードＭ２から警戒モードＭ１への切替のみ自動で行なう。
このモード自動切替手段４１は、モード自動切替手段４１による自動でのモードの切替を、推定切替時刻から所定の猶予時間後に行なわせる切替猶予手段４４を備えている。
切替猶予手段４４は、例えば、猶予時間として三十分の設定がなされている。
【００２８】
このようにすると、自宅を出るタイミングが前後し、特に、まだ、在宅している状態で警戒モードＭ１に切り替えられる事態を防止することができる。
特に、ユーザが、毎日、同じような時刻に外出する場合であっても、外出時間が前後する場合が多いので、外出する直前に、警戒モードＭ１となって警報機１１などが動作してしまう事態を防止できる。
これにより、ユーザが、外出直前に警報機１１を停止したりする手間を省くことができる。
【００２９】
また、モード管理部４は、推定切替時刻までに切替スイッチ２による警戒モードＭ１への切替があったか否かを検知する操作検知手段４５と、操作検知手段４５が切替スイッチ２による警戒モードＭ１への切替を検知したときに、時計部５の時刻情報を切替時刻として履歴保存部３に記憶させ、操作検知手段４５が切替スイッチ２による警戒モードＭ１への切替を検知しなかったときに、推定切替時刻を切替時刻として、切替時刻記憶手段に記憶させる切替時刻書込手段４６とを備えている。
【００３０】
操作検知手段４５は、推定切替時刻までに、切替スイッチ２による切替を検知しなかったときに、モード自動切替手段４１に、防犯手段を自動で警戒モードＭ１に切替可能な状態にする。
このようにすると、操作検知手段４５の検知がない場合にしか、モード自動切替手段４１が監視部１２に対する自動でのモード変更ができないので、モード自動切替手段４１が、監視部１２に対して重複した動作指示を行なう事態を防止できる。
【００３１】
切替時刻書込手段４６は、通常、猶予時間が経過する前に、操作検知手段４５が、切替スイッチ２による切替を検知したときには、時計部５から時刻情報及び日付を得て履歴保存部３に切替時刻を記憶させる。
また、切替時刻書込手段４６は、モード自動切替手段４１により自動でモード切替が行なわれたときには、推定切替時刻を切替時刻として履歴保存部３に記憶させる。
【００３２】
これにより、モード自動切替手段４１によりモード切替が行なわれたときの切替時刻を、履歴保存部３に記憶させることができる。
そのため、実際の切替時刻が、切替猶予手段４４により遅延されていても、推定切替時刻に切替スイッチ２の操作があったものとみなすので、切替時刻の分布を、切替時刻の平均に近づけることができ、推定切替時刻算出手段４０に、より正確な推定切替時刻を算出させることができる。
【００３３】
すなわち、切替時刻書込手段４６が、常時、実際の時刻情報で切替時刻を、履歴保存部３に記憶させると、切替猶予手段４４により猶予時間が設定されている場合に、モード切替が行なわれるのが、猶予時間後になってしまうので、推定切替時刻算出手段４０が算出する後日の推定切替時刻が徐々に遅延してしまう。
一方、切替時刻書込手段４６が、推定切替時刻を切替時刻として履歴保存部３に書きこむと、上述の事態が防止されるので、推定切替時刻算出手段４０が、正確な推定切替時刻を算出できる。
【００３４】
また、モード管理部４は、例えば、ＲＡＭ及びＲＯＭを備えるマイクロプロセッサで構成されており、上述の機能手段を、ＲＯＭに記憶されたプログラムを実行することにより実現されている。
時計部５は、例えば、予め、人などにより時刻設定がなされており、既存の時計を用いてもよい。
【００３５】
また、モード自動切替装置Ｓは、モード自動切替手段４１が、自動での警戒モードＭ１への切替を行なうことを通知する自動切替通知手段を備えている。
自動切替通知手段は、例えば、スピーカやＬＥＤ等の発光体などで構成されており、猶予時間中や、猶予時間終了の所定時間前に、モード管理部４により作動させられる。
本実施形態では、自動切替通知手段は、小音量のブザー音を発生するスピーカを備えた通知装置４７で構成され、猶予時間終了の一分前に作動させられる。
このようにすると、ユーザが、在宅しているときに、通知装置４７により、モードの自動切替が実行されることを知ることができる。そのため、日中、ユーザが在宅し続けるときなどに、監視部１２の設定が、警戒モードＭ１となろうとしても、ユーザが切替スイッチ２や後述の取消スイッチ４８を操作することにより、在宅モードＭ２とすることができる。
【００３６】
また、モード自動切替装置Ｓは、操作により、モード自動切替手段４１による自動での警戒モードＭ１への切替を不能にする取消操作手段を備えている。
取消操作手段は、本実施形態においては、押釦式の取消スイッチ４８で構成されている。取消スイッチ４８は、猶予時間中に操作されると、その日のモード自動切替手段４１によるモード切替機能を不能状態とする。また、取消スイッチ４８は、猶予時間中であって、通知装置４７がブザー音を発生させた作動状態においては、猶予時間中に操作されると、この通知装置４７を非動作状態とする。
このようにすると、ユーザが、例えば、日中、在宅している状態であっても、自動的に警戒モードＭ１に切り替わる事態を防止することができる。
【００３７】
また、本実施形態のセキュリティシステムは、監視部１２、モード管理部４、履歴保存部３、時計部５を被覆する筐体６を備えている。
また、筐体６表面には、切替スイッチ２及び取消スイッチ４８が、ユーザが押釦可能に設けられている。
また、筐体６表面には、警報機１１であるスピーカ及び通知装置４７のスピーカの音声発生部が、筐体６外部に向けられて設けられている。
【００３８】
次に、以上のような構成からなる本実施形態のモード自動切替装置を用いたセキュリティシステムの動作について図２〜図６を用いて説明する。
図２には、履歴保存部３に記憶される各モードへの切替時刻の一例を示している。
図３には、モード管理部４が自動で警戒モードＭ１に切り替えるときの示すフローチャートを示している。
図４には、推定切替時刻算出手段４０の動作のフローチャートを示している。
図６には、切替時刻書込手段４６の動作のフローチャートを示している。
図５には、実際の警戒モードＭ１への切替時刻と履歴保存部３に記憶される警戒モードＭ１への切替時刻を、推定切替時刻とともに示している。
【００３９】
なお、本実施形態では、セキュリティシステムがユーザの自宅に備えられている。
また、ユーザの自宅から外出が、一日に一回であるものとし、モード自動切替手段４１での警戒モードＭ１への自動切替も一日一回であるものとする。
【００４０】
まず、モード自動切替装置Ｓの警戒モードＭ１への自動切替機能を用いるときは、例えば、予め、一週間（３月８日〜３月１４日）、ユーザが、外出の際に切替スイッチ２を操作してモード管理部４を介して監視部１２の設定を警戒モードＭ１にし、帰宅した際に、切替スイッチ２を操作して監視部１２の設定を在宅モードＭ２とする。
ユーザが、切替スイッチ２を操作したときは、切替時刻書込手段４６が、時計部５の時刻情報を参照してこれを履歴保存部３に記憶させる（図２）。
【００４１】
このセキュリティシステムにおいて、モード管理部４が自動で監視部１２の設定を警戒モードＭ１に切り替えるときは、例えば、以下のようになる。
まず、モード管理部４が、時計部５からの時刻情報により、例えば、３月１４日（火）から３月１５日（水）に日付が変わったことを認識すると、モード管理部４の推定切替時刻算出手段４０が、推定切替時刻を算出する（Ｓ１−１）。
【００４２】
この際、履歴抽出手段４２が、履歴保存部３から過去７日間（３月８日（水）〜３月１４日（火））の切替時刻の履歴を抽出する（図４，Ｓ２−１）。
次に、平均切替時刻算出手段４３が、これらの平均を算出すると、平均時刻が０７：５３となる（Ｓ２−２，図５）。
次に、推定切替時刻算出手段４０が、平均時刻（０７：５３）と、履歴の各切替時刻を比較して誤差の大きい３月１２日（日）の切替時刻（１０：２４）を、履歴から除外する（Ｓ２−３）。
この切替時刻が除外された履歴に基づいて、推定切替時刻算出手段４０が、切替時刻の平均（０７：２８）を算出し（Ｓ２−４）、これを推定切替時刻とする（Ｓ２−５）。
【００４３】
次に、モード管理部４が監視部１２の設定を在宅モードＭ２とした状態で、例えば、ユーザが、切替スイッチ２を操作せずに（Ｓ１−１０Ｎｏ）、例えば、０７：２８前後に外出すると、次のようになる。
モード管理部４が、時計部５の時刻情報から、推定切替時刻である０７：２８となったと判断すると（Ｓ１−２Ｙｅｓ）、切替猶予手段４４が、設定された三十分の猶予時間を計時する（Ｓ１−３）。
切替猶予手段４４が、三十分の猶予時間が経過する一分前になると（Ｓ１−４Ｎｏ，Ｓ１−５Ｎｏ，Ｓ１−８Ｙｅｓ）、通知装置４７のスピーカが、小音量のブザー音を発生させる（Ｓ１−９）。
【００４４】
そして、切替猶予手段４４が、猶予時間が経過したときに（Ｓ１−４Ｙｅｓ）、モード自動切替手段４１が、在宅モードＭ２から警戒モードＭ１に切り替えて、履歴保存部３に切替時刻を記憶させる（Ｓ１−６，Ｓ１−７）。
この際、切替時刻書込手段４６は、操作検知手段４５により切替スイッチ２の操作が検知されない旨の情報を得るので（Ｓ３−１Ｎｏ）、推定切替時刻算出手段４０から推定切替時刻を得て（Ｓ３−２）、これを切替時刻として履歴保存部３に記憶させる（Ｓ３−３）。
【００４５】
一方、ユーザが、推定切替時刻よりも遅くに外出するときであって、ユーザが在宅しているときには、例えば、猶予時間の経過前に、ユーザが、通知装置４７のスピーカから発せられたブザー音を聞いて、取消スイッチ４８を操作する（Ｓ１−５Ｙｅｓ）。
このようにすると、モード管理部が、監視部１２の設定を自動で警戒モードにしないので、ユーザが在宅したままでも、センサ１０が反応して警報機１１から警報が出力される事態を防止することができる。
その後、ユーザは、外出するときに、切替スイッチ２を操作する。この際、切替時刻書込手段４６は、ユーザが切替スイッチ２を操作した時刻を、履歴保存部３に記憶させる。
【００４６】
なお、推定切替時刻の経過前にユーザにより切替スイッチ２が操作されたときは（Ｓ１−１０Ｙｅｓ，Ｓ１−６，Ｓ１−７）、切替時刻書込手段４６が、操作検知手段４５により切替スイッチ２の操作が検知された旨の情報を得るので（Ｓ３−１Ｙｅｓ）、切換スイッチそのときの時刻情報を時計部５から得て（Ｓ３−４）、履歴保存部３に書き込む（Ｓ３−３）。
また、猶予時間の経過前にユーザにより切替スイッチ２が操作されたときにも（Ｓ１−１１Ｙｅｓ，Ｓ１−６，Ｓ１−７）、切替時刻書込手段４６が、上記と同様に、履歴保存部３に書き込む（Ｓ３−１Ｙｅｓ，Ｓ３−４，Ｓ３−３）。
【００４７】
そして、モード管理部４は、３月１６日（木）において、ユーザが切替スイッチ２を操作して、監視部１２の設定を在宅モードＭ２から警戒モードＭ１に切り替えないときは、３月９日（木）〜３月１５日（水）の切替時刻の履歴を抽出し、平均切替時刻（０７：５３）を算出する。そして、３月１２日（日）の切替時刻（１０：２４）を除外した履歴から、推定切替時刻（０７：２８）を算出し、上記と同様にして警戒モードＭ１に自動で切り替える。
また、モード管理部４は、３月１７日（金）以降においても、ユーザが切替スイッチ２を操作して、監視部１２の設定を在宅モードＭ２から警戒モードＭ１に切り替えないときは、上記と同様にして自動で警告モードに切り替える（図３）。
【００４８】
このようにして、モード自動管理装置Ｓのモード管理部４が、監視部１２の設定を警戒モードＭ１としているときには、監視部１２が、センサ１０が提供する情報に基づいて、警報機１１を作動させる。
そして、警報機１１が、大音量の警告音を発生するので、侵入者を威嚇して侵入を阻止する。
【００４９】
以上説明したように、本実施形態に係るモード自動切替装置Ｓを用いたセキュリティシステムによれば、履歴保存部３（切替時刻記憶手段）に記憶された履歴に基づいて、推定切替時刻算出手段４０で推定切替時刻を算出し、この推定切替時刻に基づいてモード自動切替手段４１がモードを切り替えるので、人の操作及び人の検知をすることなく、切替対象装置１のモードを切替ることができる。
これにより、逐一、ユーザが切替スイッチ２（切替操作手段）の操作をしなくても、モード管理部４が、監視部１２の設定を、警戒モードＭ１に自動で切り替えられるので、操作を簡単にすることができる。
【００５０】
また、ユーザの在宅及び不在をセンサで検知に基づかないで、モードを切り替えるので、例えば、ペットなどが人感センサを誤作動させる事態を防止することができる。
また、ユーザが、切替スイッチ２の操作を忘れても、モード管理部４が、監視部１２の設定を自動で警戒モードＭ１に切り替えるので、不在時の侵入者の侵入などの犯罪の防止を確実に行なうことができる。
【００５１】
また、ユーザが、切替スイッチ２を実際に操作することにより、モード管理部４の切替時刻書込手段４６が、履歴保存部３に記憶させた切替時刻の履歴に基づいて、監視部１２の設定を警戒モードＭ１に切り替えるので、モード管理部４が、ユーザの外出や帰宅などの生活習慣にあわせて、モードを切り替えることができる。
そのため、ユーザが、切替スイッチ２を操作しなくても、外出する前後に、モード管理部４が、警戒モードＭ１に自動的に切り替えるので、ユーザが切替スイッチ２を操作することなく、侵入者の侵入を防止しやすくすることができる。
【００５２】
次に、本発明の第一実施形態の変形例に係るモード自動切替装置を用いたセキュリティシステムについて説明する（図１参照）。
本実施形態のセキュリティシステムは、履歴抽出手段４２が、履歴保存部３が記憶した履歴から、特定曜日の履歴を抽出し、平均切替時刻算出手段４３が、平均切替時刻算出手段４３により履歴抽出手段４２が抽出した抽出履歴に基づいて、平均切替時刻を算出するとともに、平均切替時刻及び抽出履歴に基づいて、特定曜日に対応する推定切替時刻を算出する点で上記第一実施形態のものと異なる。
【００５３】
また、本実施形態では、履歴保存部３には例えば、四週間の履歴を保存できるものとする。
従って、その他の構成部分は、第一実施形態と同様となっており、同様の構成部分については、図中で第一実施形態と同一の符号を付し、詳細な説明は省略する。
【００５４】
以上のような構成からなる本実施形態のモード自動切替装置を用いたセキュリティシステムの動作について、図７を参照しつつ説明する。
図７は、本実施形態のモード自動切替装置を用いたセキュリティシステムにおいて、モード管理部４が、推定切替時刻を算出するときの動作のフローチャートを示している。
同図に示すように、モード管理部４は、例えば、日付が変わったときに、履歴保存部３から当日の曜日に対応する曜日の履歴を抽出する（Ｓ４−１）。
【００５５】
次に、モード管理部４は、当日の曜日に対応する平均切替時刻を算出し（Ｓ４−２）、抽出した履歴その値から一時間以上異なる切替時刻を除外し（Ｓ４−３）、切替時刻が除外された履歴から切替時刻の平均を算出し（Ｓ４−４）、この切替時刻の平均を推定切替時刻として算出する（Ｓ４−５）。
その他の動作は、上記第一実施例と同様にして行なう。
【００５６】
以上説明したように本実施形態のモード自動切替装置Ｓを用いたセキュリティシステムは、履歴抽出手段４２が、切替時刻記憶手段が記憶した履歴から、特定曜日の履歴を抽出し、この特定曜日の履歴に基づいて平均切替時刻及び推定切替時刻を算出するので、ユーザが、曜日毎に異なる生活リズムで生活していてもこれに対応することができる。
すなわち、モード管理部４が、ユーザの曜日毎に異なる生活習慣に応じた推定切替時刻を算出することができる。
【００５７】
次に、本発明の第二実施形態に係るモード自動切替装置を用いたセキュリティシステムについて、図８を参照しつつ説明する。
図８には、本実施形態に係るモード自動切替装置を用いたセキュリティシステムの概略構成図を示している。
同図に示すように、本実施形態のモード自動切替装置Ｓ１は、通知装置４７（自動切替通知手段）及び取消スイッチ４８（取消操作手段）がない点で、上述の第一実施形態のものと異なる。
【００５８】
また、このモード自動切替装置Ｓ１において、モード管理部４の切替時刻書込手段４６ａは、例えば、警戒モードＭ１への切替時刻として、その日、継続して最も長く警戒モードＭ１となっていた時間の最初の時刻を、履歴保存部３に記憶させる。
従って、その他の構成部分は、第一実施形態と同様となっており、同様の構成部分については、図中で第一実施形態と同一の符号を付し、詳細な説明は省略する。
【００５９】
以上のような構成からなるモード自動切替装置Ｓ１を用いたセキュリティシステムは、ユーザが外出する前に、モード管理部４が、モード自動切替手段４１により、監視部１２の設定を警戒モードＭ１に自動で切り替えていたとしていても、切替スイッチ２を操作することにより、在宅モードＭ２に戻し、更に、警戒モードＭ１として外出するようにする。
その他の動作は、上記第一実施例と同様にして行なう。
【００６０】
以上説明したように本実施形態のモード自動切替装置Ｓ１を用いたセキュリティシステムは、切替時刻書込手段４６が、警戒モードＭ１となって最長の時間の最初を、警戒モードＭ１への切替時刻として履歴保存部３に記憶させるので、切替スイッチ２を操作するだけで、警戒モードＭ１への最適な切替時刻を履歴保存部３に記憶させることができる。
すなわち、本システムは、ユーザの生活リズムが変わった場合には、再び、数日、ユーザが切替スイッチ２を、操作するだけでよい。
【００６１】
これにより、履歴保存部３に記憶された警戒モードＭ１への切替時刻が、警戒モードＭ１となって最長の時間の最初の時刻なので、警戒モードＭ１に自動で切り替えられる推定切替時刻が、最長のユーザの不在時間の最初に近づけることができ、警戒モードＭ１への最適な切替時刻となる。
また、取消スイッチ４８（取消操作手段）がなくてもよくなり、ユーザの操作を簡単にすることができる。
【００６２】
また、通知装置４７（自動切替通知手段）がなくても、窓などが開いていると、警報機１１が作動し、これが自動で切り替わったことの通知する代わりとすることができる。
これにより、システムの構造を簡単にすることができ、製造コストの低減も期待できる。
【００６３】
以上、本発明のモード自動切替装置、セキュリティシステム、モード自動切替方法及びモード自動切替プログラムについて、好ましい実施形態を示して説明したが、本発明に係るセキュリティシステムは、上述した実施形態にのみ限定されるものではなく、本発明の範囲で種々の変更実施が可能であることは言うまでもない。
例えば、センサが、窓の開閉を検知することにより、侵入者の侵入を検知する構成としたが、これに限定されるものでなく、窓の近辺に近寄った人を検知する人感センサなど他のセンサであってもよい。
【００６４】
また、モード管理部は、監視部に設定するモードとして、警戒モード及び在宅モードの二つがある構成としたが、これに限定されるものでなく、例えば、ユーザが就寝しているときに設定される就寝時モードなどその他のモードがあってもよい。
また、モード管理部が、在宅モードから警戒モードにのみ切り替わるように構成したが、これに限定されるものでなく、警戒モードから在宅モードとなってもよい。
また、第一実施形態において、切替時刻書込手段が、第二実施形態のように、履歴保存部に、継続して最も長く警戒モードとなっていた時間の最初の時刻を、警戒モードなどへの切替時刻として記憶させるようにしてもよい。
【００６５】
また、第一実施形態において、履歴保存部が最近の一週間の切替時刻の履歴のみを記憶させるようにしてよい。
また、第二の実施形態において、切替時刻書込手段が、履歴保存部に、継続して最も長く警戒モードとなっていた時間の最初の時刻を、警戒モードなどへの切替時刻として記憶させる構成としたが、ユーザが操作した切替時刻の方を優先的に記憶させる構成としてもよく適宜設計変更して差支えない。
【図面の簡単な説明】
【００６６】
【図１】本発明の第一実施形態に係るセキュリティシステムを示す概略構成図である。
【図２】本発明の第一実施形態に係るモード自動切替装置を用いたセキュリティシステムであって、履歴保存部に記憶される切替時刻の一例を示す表図である。
【図３】本発明の第一実施形態に係るモード自動切替装置を用いたセキュリティシステムにおいて、モード管理部が監視部の設定を警戒モードに自動で切り替える際の動作を示すフローチャート図である。
【図４】本発明の第一実施形態に係るモード自動切替装置を用いたセキュリティシステムにおいて、推定切替時刻算出手段の動作を示すフローチャート図である。
【図５】本発明の第一実施形態に係るモード自動切替装置を用いたセキュリティシステムであって、実際の警戒モードへの切替時刻と履歴保存部に記憶される警戒モードへの切替時刻とを、推定切替時刻及び平均切替時刻とともに示す表図である。
【図６】本発明の第一実施形態に係るモード自動切替装置を用いたセキュリティシステムにおいて、切替時刻書込手段の動作を示すフローチャート図である。
【図７】本発明の第一実施形態の変形例に係るセキュリティシステムにおいて、推定切替時刻算出手段の動作を示すフローチャート図である。
【図８】本発明の第二実施形態に係るセキュリティシステムを示す概略構成図である。
【符号の説明】
【００６７】
Ｓ，Ｓ１  モード自動切替装置
Ｍ１  警戒モード
Ｍ２  在宅モード
１  切替対象装置
１０  センサ
１１  警報機
１２  監視部
２  切替スイッチ
３  履歴保存部
４  モード管理部
４０  推定切替時刻算出手段
４１  モード自動切替手段
４２  履歴抽出手段
４３  平均切替時刻算出手段
４４  切替猶予手段
４５  操作検知手段
４６，４６ａ  切替時刻書込手段
４７  通知装置
４８  取消スイッチ
５  時計部
６  筐体
【図１】
0004830149.tif 000002
【図２】
0004830149.tif 000003
【図３】
0004830149.tif 000004
【図４】
0004830149.tif 000005
【図５】
0004830149.tif 000006
【図６】
0004830149.tif 000007
【図７】
0004830149.tif 000008
【図８】
0004830149.tif 000009